(57)【要約】計算技術を教えるための装置（１１０）が提供される。この装置は、複数の玉（２１５）と、玉の内の１個によって占有されるように構成されたセル（２２５）の一組のコラム（２２０）を含むであろう。装置は、玉によるセルの占有を判定するように構成された一組のセンサ（２３５）と、一組のセンサに電子的に結合された処理ユニットとを含むであろう。処理ユニットは、複数の整数から成る少なくとも１個の配列をサーバーから受信するように構成できる。各整数は、ユーザーに表示される一連の数学的演算を解いた中間結果を表わす。玉によるセルの占有を一組のセンサを介して判定し、セルの占有をチェック数に変換し、チェック数を配列中の現在数と比較して現在の演算が正しく解かれたか否かを判定する。【選択図】図２
2021501348.tif 000002
【特許請求の範囲】
【請求項１】
計算技術を教えるための装置であって、
複数の玉と、
一組のコラムであって、前記コラムの各々が所定数のセルを含み、前記セルの各々は前記玉の１個によって占有されるように構成されたコラムと、
サーバーと通信するための通信ユニットと、
前記玉による前記セルの占有を判定するように構成された一組のセンサと、
前記一組のセンサに電子的に結合された処理ユニットと備え、
前記処理ユニットは、
ユーザーに表示される一連の数学的演算を解いた中間結果を各々が表す複数の整数から成る少なくとも１個の配列を前記通信ユニットを介して前記サーバーから受信すると共に、
前記少なくとも１個の整数配列の内の各々の現在数について、
前記玉を動かして前記一連の数学的演算からの現在の演算を解くことを前記ユーザーが行えるように所定の時間だけ待ち、
前記玉による前記セルの占有を前記一組のセンサを介して判定し、
前記セルの占有をチェック数に変換し、
前記チェック数を前記現在数と比較して前記現在の演算が正しく解かれたか否かを判定するように構成された装置。
【請求項２】
請求項１に記載の装置であって、前記センサは赤外線検出器であり、前記赤外線検出器の各々は前記セルの内の１個のセル内に位置している装置。
【請求項３】
請求項１に記載の装置であって、前記通信ユニットは無線通信ユニットである装置。
【請求項４】
請求項１に記載の装置であって、前記玉が半透明の材料から作られている装置。
【請求項５】
請求項１に記載の装置であって、前記処理ユニットと通信可能に結合された一組の光源ユニットを更に備え、前記光源ユニットの各々が前記セルの内の１個のセル内に位置している装置。
【請求項６】
請求項５に記載の装置であって、前記光源ユニットは発光ダイオードである装置。
【請求項７】
請求項５に記載の装置であって、前記処理ユニットは、
前記チェック数と前記現在数とに基づき、前記玉によって誤って占有されている前記セルの第１のサブセットを決定し、
前記セルの前記第１のサブセットに対応する前記光源ユニットを点灯させるように更に構成される装置。
【請求項８】
請求項７に記載の装置であって、前記色は赤色である装置。
【請求項９】
請求項５に記載の装置であって、前記処理ユニットは、
前記現在数に基づき、前記現在数を得るために前記玉によって占有されるべき前記セルの第２のサブセットを決定し、
前記コラムの前記第２のサブセットに対応する前記光源ユニットを点灯させるように更に構成される装置。
【請求項１０】
請求項９に記載の装置であって、前記色は緑色である装置。
【請求項１１】
請求項１に記載の装置であって、前記処理ユニットは、前記所定時間を前記通信ユニットを介して前記サーバーから受信するように更に構成される装置。
【請求項１２】
一組の数学的問題を記憶するように少なくとも構成されたサーバーと
少なくとも１台の電子そろばんとを含む、計算技術を教えるためのシステムであって、前記少なくとも１台の電子そろばんは、
複数の玉と、
一組のコラムであって、前記コラムの各々が所定数のセルを含み、前記セルの各々は前記玉の１個のみによって占有されるように構成されたコラムと、
データネットワークを介して前記サーバーと通信するための通信ユニットと、
前記玉による前記セルの占有を判定するように構成された一組のセンサと、
前記一組のセンサに電子的に結合された処理ユニットと備え、
前記処理ユニットは、
前記数学的問題の内の一つを表す一連の数学的演算であってユーザーに表示される一連の数学的演算を解いた中間結果を各々が表す複数の整数から成る少なくとも１個の配列を前記通信ユニットを介して前記サーバーから受信すると共に、
前記少なくとも１個の整数配列の内の各々の現在数について、
前記玉を動かして前記一連の数学的演算からの現在の演算を解くことを前記ユーザーが行えるように所定の時間だけ待ち、
前記玉による前記セルの占有を前記一組のセンサを介して判定し、
前記セルの占有をチェック数に変換し、
前記チェック数を前記現在数と比較して前記現在の演算が正しく解かれたか否かを判定するように構成されたシステム。
【請求項１３】
請求項１２に記載のシステムであって、
少なくとも１個の整数配列を受信する前に、
前記少なくとも１台の電子そろばんの識別子を少なくとも含む登録メッセージを前記通信ユニットを介して前記サーバーに送信し、
前記少なくとも１台の電子そろばんに関連する時間とサーバーの時間とを前記通信ユニットを介して同期させる
ように前記処理ユニットが更に構成されるシステム。
【請求項１４】
請求項１２に記載のシステムであって、
一連の数学的演算を解く際の誤りと時間を探知すると共に記憶し、
前記数学的問題の内の前記少なくとも一つを解く際の前記誤りと時間を前記通信ユニットを介して前記サーバーに送信する
ように前記処理ユニットが更に構成されるシステム。
【請求項１５】
一組の数学的問題を記憶するように少なくとも構成されたサーバーと
前記数学的問題を解くための少なくとも１台の電子そろばんとを含む、計算技術を教えるためのシステムであって、前記少なくとも１台の電子そろばんは、
複数の玉と、
一組のコラムであって、前記コラムの各々が所定数のセルを含み、前記セルの各々は前記玉の１個によって占有されるように構成されたコラムと、
データネットワークを介して前記サーバーと通信するための通信ユニットと、
前記玉による前記セルの占有を判定するように構成された一組のセンサと、
前記一組のセンサに電子的に結合された処理ユニットと備え、
前記処理ユニットは、
前記数学的問題の内の一つを表す一連の数学的演算であってユーザーに表示される一連の数学的演算を解いた中間結果を各々が表す複数の整数から成る少なくとも１個の配列を前記通信ユニットを介して前記サーバーから受信すると共に、
前記少なくとも１個の整数配列の内の各々の現在数について、
前記玉を動かして前記一連の数学的演算からの現在の演算を解くことを前記ユーザーが行えるように所定の時間だけ待ち、
前記玉による前記セルの占有を前記一組のセンサを介して判定し、
前記セルの占有をチェック数に変換し、
前記チェック数を前記現在数と比較して前記現在の演算が正しく解かれたか否かを判定するように構成されており、
前記システムは、前記データネットワークを介して前記サーバーと通信するためのデバイス通信ユニットとグラフィック表示システムとを少なくとも含む計算装置を含み、前記計算装置は、
前記数学的問題の内の一つを表す前記一連の数学的演算を前記デバイス通信ユニットを介して受信し、
前記一連の数学的演算を前記グラフィック表示システムを介して表示するように構成されるシステム。
【請求項１６】
請求項１５に記載のシステムであって、前記少なくとも１台の電子そろばんは、前記処理ユニットと通信可能に結合された一組の光源ユニットを更に備え、前記光源ユニットの各々が前記セルの内の１個のセル内に位置しているシステム。
【請求項１７】
請求項１６に記載のシステムであって、前記処理ユニットは、
前記チェック数と前記現在数とに基づき、前記玉によって誤って占有されている前記セルの第１のサブセットを決定し、
前記セルの前記第１のサブセットに対応する前記光源ユニットを点灯させるように更に構成されるシステム。
【請求項１８】
請求項１６に記載のシステムであって、前記処理ユニットは、
前記現在数に基づき、前記現在数を得るために前記玉によって占有されるべき前記セルの第２のサブセットを決定し、
コラムの前記第２のサブセットに対応する前記光源ユニットを点灯させるように更に構成されるシステム。
【請求項１９】
請求項１５に記載のシステムであって、
少なくとも１個の整数配列を受信する前に、
前記少なくとも１台の電子そろばんの識別子を少なくとも含む登録メッセージを前記通信ユニットを介して前記サーバーに送信し、
前記少なくとも１台の電子そろばんに関連する時間とサーバーの時間とを前記通信ユニットを介して同期させるように前記処理ユニットが更に構成され、
更なる登録メッセージを前記デバイス通信ユニットを介して前記サーバーに送信し、
前記計算装置に関連する時間とサーバーの時間とを前記デバイス計算装置を介して同期させるように前記計算装置が更に構成されるシステム。
【請求項２０】
請求項１５に記載のシステムであって、
一連の数学的演算を解く際の誤りと時間を探知すると共に記憶し、
前記数学的問題の内の前記少なくとも一つを解く際の前記誤りと時間を前記通信ユニットを介して前記サーバーに送信する
ように前記処理ユニットが更に構成されるシステム。
【発明の詳細な説明】
【背景技術】
【０００１】
本出願は、一般に数学用訓練装置の分野に関し、より詳しくは電子そろばんを使用して計算技術を教えるためのシステムに関する。
【０００２】
この章に記載された実施形態は達成できるものであるが、必ずしも以前に着想又は達成された実施形態ではない。従って、別段の表示がない限り、この章に記載された実施形態の如何なるものも、この章に含まれているという理由だけで従来技術であると考えてはならない。
【０００３】
そろばんは、足し算、引き算、掛け算及び割り算という基本的な数値計算を行うのに使用される機械的計算装置として知られている。異なる種類のそろばんが何世紀にもわたって計算のために使用されてきた。電子計算器やコンピュータにおける進化にも関わらず、幾つかのそろばん（例えば、日本のそろばん）は、幾つかの国において未だに広く使われている。そろばんは、子供や大人に計算技術（特に暗算技術）を教えるとともに伸ばすための道具としても使用できる。生徒は、そろばんを使って算術計算を行うことが最初に教えられる。そして、生徒は、そろばんを想像し、心の中でそろばんのイメージを操作して算術計算を行うことが訓練される。
【０００４】
そろばんを使って計算技術を教えるための既存のシステムの例としては、計算結果を確認するためにコンピュータ接続された電気又は電子そろばんが挙げられる。訓練のための他の既知のシステムの例としては、そろばんを使った計算をシミュレーションするオンラインアプリケーションが挙げられる。
【０００５】
そろばんに基づく既存の訓練システムは、複数の演算によって数学的問題を解くことに関連した幾つかの欠点がある。欠点の一つは、複数の演算を行っている間に誤りを起こした演算又はステップを正確に判定することが困難なことである。最初の欠点に必然的に伴う別の欠点は、複数の演算の内、複雑さの程度が低い少なくとも１つの演算で生徒が誤りを起こした場合、複雑さの程度が高い演算の知識を必要とする演算に行き着いてしまう恐れがあることである。更に別の欠点は、既存の訓練システムは、技能が異なる生徒に数学的問題を提供できないため、グループ訓練での使用に適していないことである。
【発明の概要】
【０００６】
本概要は、以下の詳細な説明で更に説明される単純化された形態中の各種の概念を紹介するために提供される。本概要は、請求された主題の鍵となる特徴又は必須の特徴を特定することを意図するものではなく、請求された主題の範囲を決定するうえでの一助として使用されることを意図するものでもない。
【０００７】
本開示は、電子そろばんを用いた暗算の技術を教えるためのシステムを対象とする。本開示の一実施形態によれば、計算技術を教えるための装置が提供される。前記装置は複数の玉を備えるであろう。前記装置は一組のコラムを更に備えるであろう。前記コラムの各々は所定数のセルを含むことができる。前記セルの各々は前記玉の内の１個によって占有されるように構成できる。前記装置は、サーバーと通信するための通信ユニットを備えるであろう。前記装置は、前記玉による前記セルの占有を判定するように構成された一組のセンサを更に備えるであろう。前記装置は、前記一組のセンサに電子的に結合された処理ユニットを更に備えるであろう。前記処理ユニットは、複数の整数から成る少なくとも１個の配列を前記通信ユニットを介して前記サーバーから受信するように構成されるであろう。前記整数の各々は一連の数学的演算を解いた中間結果を表すであろう。前記一連の数学的演算はユーザーに表示できる。
【０００８】
前記少なくとも１個の整数配列の内の各々の現在数について、前記玉を動かして前記一連の数学的演算からの現在の演算を解くことをユーザーが行えるように所定の時間だけ待つように前記処理ユニットを更に構成できる。前記玉によってセルが占有されているか否かを前記一組のセンサを介して判定するように前記処理ユニットを更に構成できる。前記占有されたセルをチェック数に変換するように前記処理ユニットを更に構成できる。前記チェック数を前記現在数と比較して前記現在の演算が正しく解かれたか否かを判定するように前記処理ユニットを更に構成できる。
【０００９】
幾つかの実施形態では、前記センサは赤外線検出器であり、前記赤外線検出器の各々は前記セルの内の１個のセル内に位置している。幾つかの実施形態では、前記通信ユニットは無線通信ユニットである。幾つかの実施形態では、前記玉が半透明の材料から作られている。幾つかの実施形態では、前記装置は、前記処理ユニットと通信可能に結合された一組の光源ユニットを更に備え、前記光源ユニットの各々が前記セルの内の１個のセル内に位置している。或る実施形態では、前記光源ユニットは発光ダイオードである。
【００１０】
或る実施形態では、前記処理ユニットは、前記チェック数と前記現在数とに基づき、前記セルの第１のサブセットが前記玉によって誤って占有されていることを判定するように更に構成できる。前記処理ユニットは、前記セルの前記第１のサブセットに対応する前記光源ユニットをある色で（例えば、赤色で）点灯させるように更に構成できる。
【００１１】
幾つかの実施形態では、前記処理ユニットは、前記現在数に基づき、前記セルの第２のサブセットが前記現在数を得るために前記玉によって占有されるべきことを判定するように更に構成できる。前記処理ユニットは、コラムの前記第２のサブセットに対応する前記光源ユニットをある色で（例えば、緑色で）点灯させるように更に構成できる。
【００１２】
幾つかの実施形態では、前記処理ユニットは、前記所定時間を前記通信ユニットを介して前記サーバーから受信するように更に構成される。
【００１３】
本開示の別の実施形態によれば、計算技術を教えるためのシステムが提供される。前記システムは、一組の数学的問題を記憶するように少なくとも構成されたサーバーを含むであろう。前記システムは、前記数学的問題を解くための少なくとも１台の電子そろばんを含むであろう。前記少なくとも１台の電子そろばんは、複数の玉と一組のコラムを含むであろう。前記コラムの各々は所定数のセルを含む。前記セルの各々は前記玉の１個によって占有されるように構成できる。前記少なくとも１台の電子そろばんは、データネットワークを介して前記サーバーと通信するための通信ユニットを更に備えるであろう。前記少なくとも１台の電子そろばんは、前記セルが前記玉によって占有されていることを判定するように構成された一組のセンサとを更に備えるであろう。前記少なくとも１台の電子そろばんは、前記一組のセンサと前記一組の光源ユニットとに電子的に結合された処理ユニット更に備えるであろう。前記処理ユニットは、複数の整数から成る少なくとも１個の配列を前記通信ユニットを介して前記サーバーから受信するように構成できる。前記整数の各々は一連の数学的演算を解いた中間結果を表すであろう。前記一連の数学的演算は前記数学的問題の内の一つを表すであろう。前記一連の数学的演算はユーザーに表示できる。
【００１４】
前記少なくとも１個の整数配列の内の各々の現在数について、前記玉を動かして前記一連の数学的演算からの現在の演算を解くことをユーザーが行えるように所定の時間だけ待つように前記処理ユニットを更に構成できる。前記玉による前記セルの占有を前記一組のセンサを介して判定するように前記処理ユニットを構成できる。前記セルの占有をチェック数に変換するように前記処理ユニットを構成できる。前記チェック数を前記現在数と比較して前記現在の演算が正しく解かれたか否かを判定するように前記処理ユニットを構成できる。
【００１５】
前記システムは計算装置を更に含むであろう。前記計算装置は、前記データネットワークを介して前記サーバーと通信するためのデバイス通信ユニットとグラフィック表示システムとを少なくとも含むであろう。前記計算装置は、前記数学的問題の内の一つを表す前記一連の数学的演算を前記デバイス通信ユニットを介して受信するように構成できる。前記計算装置は、前記一連の数学的演算を前記グラフィック表示システムを介して表示するように構成できる。
【００１６】
幾つかの実施形態では、前記少なくとも１台の電子そろばんは、前記処理ユニットと通信可能に結合された一組の光源ユニットを更に備えるであろう。前記光源ユニットの各々は前記セルの内の１個のセル内に位置することができる。
【００１７】
幾つかの実施形態では、前記処理ユニットは、前記チェック数と前記現在数とに基づき、前記セルの第１のサブセットが前記玉によって誤って占有されていることを判定するように更に構成できる。前記処理ユニットは、前記セルの前記第１のサブセットに対応する前記光源ユニットをある色で点灯させるように更に構成できる。
【００１８】
幾つかの実施形態では、前記処理ユニットは、前記チェック数と前記現在数に基づき、前記セルの第２のサブセットが前記現在数を得るために前記玉によって占有されるべきことを判定するように更に構成できる。前記処理ユニットは、前記コラムの第２のサブセットに対応する前記光源ユニットをある色で点灯させるように更に構成できる。
【００１９】
幾つかの実施形態では、少なくとも１個の整数配列を受信する前に、前記少なくとも１台の電子そろばんの識別子を少なくとも含む登録メッセージを前記通信ユニットを介して前記サーバーに送信するように前記処理ユニット更に構成できる。前記処理ユニットは、前記少なくとも１台の電子そろばんに関連する時間と前記サーバーの時間とを前記通信ユニットを介して同期させるように更に構成できる。幾つかの実施形態では、前記計算装置は、更なる登録メッセージをデバイス通信チャンネルを介して前記サーバーに送信するように構成できる。前記計算装置は、前記計算装置に関連する時間と前記サーバーの時間とを前記デバイス通信ユニットを介して同期させるように更に構成できる。
【００２０】
幾つかの実施形態では、前記処理ユニットは、一連の数学的演算を解く際の誤りと時間を探知すると共に記憶するように更に構成できる。前記処理ユニットは、前記数学的問題の内の前記少なくとも一つを解く際の前記誤りと時間を前記通信ユニットを介して前記サーバーに送信するように更に構成できる。
【００２１】
その他の特徴、例及び実施形態は以下に記載される。
【図面の簡単な説明】
【００２２】
実施形態は、添付の図面中の図において、限定によってではなく例示によって示されており、図において同様の参照番号は類似の要素を示す。
【図１Ａ】一例示的実施形態による、電子そろばんを使用した計算技術の教示ためのシステムを実施できる環境を示す。
【図１Ｂ】別の例示的実施形態による、電子そろばんを使用した計算技術の教示ためのシステムを実施できる環境を示す。
【図１Ｃ】さらに別の例示的実施形態による、電子そろばんを使用した計算技術の教示ためのシステムを実施できる環境を示す。
【図２】幾つかの例示的実施形態による電子そろばんの正面図である。
【図３】幾つかの例示的実施形態による電子そろばんのセルの状態を示す概略図である。
【図４】例示的実施形態による電子そろばんの単純化した電子的構成を示す。
【図５】例示的実施形態による、電子そろばんを使用した計算技術の教示ための方法のステップを示すフローチャートである。
【図６】例示的実施形態による、電子そろばんを使用した計算技術の教示ための方法のステップを示すフローチャートである。
【図７】マシンのための計算装置であって、本明細書で議論する方法の内の任意の一以上の方法をマシンに行わせるための１組の命令を実行できる計算装置の図式的表示を示す。
【発明を実施するための形態】
【００２３】
以下の詳細な説明は、詳細な説明の一部を構成する添付図面への参照を含む。図面は例示的実施形態による実例を示す。本明細書中で「例」とも称するこれらの例示的実施形態は、当業者が本主題を実施できるように十分に詳しく記載されている。実施形態は組み合わせることができ、他の実施形態を利用することができ、或いは、請求の範囲を逸脱することなく、構造的、論理的及び電気的変更を行うことができる。従って、以下の詳細な説明は限定的に解釈してはならず、範囲は添付の請求項及びその均等の範囲によって定義される。本明細書において、特許明細書において一般的に行われているように、１つ又はそれ以上を含むために、用語「ａ」及び「ａｎ」が使用されている。本明細書中において、用語「又は（ｏｒ）」は、非排他的「又は」を意味するために使用され、別段の表示がない限り、「Ａ又はＢ」は、「ＢではなくＡ」、「ＡではなくＢ」及び「Ａ及びＢ」を含む。
【００２４】
本明細書で開示する実施形態の技術は種々の技術を使用して実施できる。例えば、本明細書で説明する方法は、コンピュータシステム上で実行されるソフトウエアで実施してもよく、或いは、マイクロプロセッサ又は他の特別に設計された特定用途向け集積回路の組み合わせ、プログラマブルロジックデバイス又はそれらの種々の組み合わせを用いたハードウエアで実施してもよい。本明細書で説明する方法は、部分的にコンピュータ（例えば、デスクトップコンピュータ、タブレットコンピュータ、ラップトップコンピュータ）、携帯電話、スマートフォン、スマートテレビシステム等によって実施できることに注意されたい。
【００２５】
本開示の実施形態は、数学的訓練を対象とする。本明細書で説明される計算技術を教えるための装置及びシステムは、子供や大人の暗算技術を伸ばすツールとなるであろう。より詳細には、本システムは、生徒が電子そろばんを使って算術演算を行うのを助けるであろう。本システムは、生徒の技能に基づいて、各個別の生徒に対する訓練演習を調整してグループによる生徒の教育を更に容易にできるであろう。
【００２６】
計算技術の訓練用の例示的なシステムは、サーバーと少なくとも１台の電子そろばんを含むであろう。サーバーは、一組の数学的問題を記憶するように少なくとも構成できる。少なくとも１台の電子そろばんは、複数の玉と一組のコラムを含むであろう。各コラムは所定数のセルを含むであろう。各セルは、玉の内の一つによって占有されるように構成できる。少なくとも１台の電子そろばんは、サーバーと通信するための通信ユニットを更に含むであろう。少なくとも１台の電子そろばんは、玉によってセルが占有されていることを判定するように構成された一組のセンサを更に含むであろう。少なくとも１台の電子そろばんは、一組のセンサに電子的に結合された処理ユニット更に含むであろう。処理ユニットは、一連の数学的演算を解いた中間結果を各々が表す複数の整数から成る少なくとも一つの配列をサーバーから通信ユニットを介して受信できるように構成できる。一連の数学的演算はユーザーに対して表示できる。少なくとも一つの整数配列の内の各々の現在数について、一連の数学的演算からの現在の演算を解くためにユーザーが玉を動かすことができる時間間隔だけ待つように処理ユニットを構成できる。更に、玉によるセルの占有を一組のセンサによって判定するように処理ユニットを構成できる。更に、セルの占有をチェック数に変換するように処理ユニットを構成できる。チェック数と現在数を比較して現在の演算が正しく解かれたか否かを判定するように処理ユニットを構成できる。
【００２７】
図面を参照すると、図１Ａは、例示的実施形態による、計算技術教示用システムを実施できる環境１００Ａを示す。この環境１００Ａは、電子そろばん１１０、ユーザー１２０及び計算装置１４０を含むであろう。
【００２８】
計算装置１４０は、テレビセット、パーソナルコンピュータ（ＰＣ）、ラップトップ、スマートフォン、タブレットＰＣ、パーソナルウェアラブルデバイスなどを含むであろう。或る実施形態では、計算装置１４０はグラフィック表示システム１６０を含むであろう。幾つかの実施形態では、計算装置１４０は、電子そろばん１１０と同じ場所（部屋、教室など）に配置できる。
【００２９】
幾つかの実施形態では、電子そろばんは、少なくとも１個の数学的問題を、例えば計算装置１４０から受信するように構成できる。数学的問題は一連の数学的演算を含むであろう。或る実施形態では、ユーザー１２０に対して一連の数学的演算をグラフィック表示システム１６０上に表示できる。或る実施形態では、電子そろばん１１０は、音声メッセージを再生するための音声装置を含むであろう。メッセージは、数学的問題を含むテキストの口述記録を含むであろう。
【００３０】
ユーザー１２０は、電子そろばん１１０を操作して、各ステップが単一の数学的演算を含む複数のステップで数学的問題を解くであろう。幾つかの実施形態では、電子そろばん１１０を使って単一の数学的演算を行うためにユーザー１２０に時間間隔を与えることができる。他の実施形態では、ユーザー１２０が玉を動かすまで待つように電子そろばん１１０を構成できる。
【００３１】
幾つかの実施形態では、各ステップでユーザーが数学的問題を正しく解いたか否かをチェックするように電子そろばん１１０を構成できる。或る実施形態では、数学的問題のステップ（単一の数学的演算）が間違って解かれるか又はその演算を行う時間が経過した場合、ユーザー１２０に警告を与えるように電子そろばん１１０を構成できる。この場合、或る実施形態では、そのステップを正しく解くためにすべき操作をユーザー１２０に促すように電子そろばん１１０が構成されるであろう。幾つかの実施形態では、数学的問題のステップが間違って解かれた場合、音を出すように電子そろばん１１０を構成できる。他の実施形態では、数学的問題のステップが間違って解かれた場合、振動するように電子そろばん１１０を構成できる。幾つかの実施形態では、数学的問題のステップが間違って解かれた場合、光インジケーターを使用するように電子そろばん１１０を構成できる。同様に、幾つかの実施形態では、数学的問題のステップが正しく解かれたことを、音を出したり、振動したり及び／又は光インジケーターを点灯させてユーザー１２０に知らせるように電子そろばん１１０が構成されるであろう。異なる音、異なる種類の振動及び光インジケーターを点灯させるための異なる色を用いてステップが間違って解かれたことを通知したり、ステップが正しく解かれたことを通知したりできる。
【００３２】
幾つかの実施形態では、更に、数学的問題の数学的演算を電子そろばん１１０を使って正しく行うのにユーザー１２０が費やした時間を判定するように電子そろばん１１０が構成されるであろう。幾つかの実施形態では、数学的問題を解くユーザー１２０の誤りや数学的問題を解くのにユーザー１２０が費やした時間の記録を記憶するように電子そろばん１１０が構成されるであろう。
【００３３】
図１Ｂは、別の例示的実施形態による、計算技術教示用システムを実施できる環境１００Ｂを示す。この環境１００Ｂは、１台以上の電子そろばん１１０、１人以上のユーザー１２０、サーバー１３０、計算装置１４０及びデータネットワーク１５０を含むであろう。
【００３４】
データネットワーク１５０は、インターネット、コンピューティングクラウド、及びデバイス間でデータ通信を行えるその他のネットワークを含むであろう。好適なネットワークは、例えば、ローカルイントラネット、パーソナルエリアネットワーク、ローカルエリアネットワーク、ワイドエリアネットワーク、首都圏エリアネットワーク、仮想プライベートネットワーク、ストレージエリアネットワーク、フレームリレー接続、高度インテリジェントネットワーク接続、同期光学ネットワーク接続等の内の任意の１以上のものを含むか、これらにインターフェース接続されているであろう。更に、通信には、ワイヤレスアプリケーションプロトコル、汎用パケット無線サービス、移動体通信のためのグローバルシステム、符号分割多元接続又は時分割多元接続、携帯電話ネットワーク、グローバルポジショニングシステム、セルラーデジタルパケットデータ、リサーチ・イン・モーション・リミテッドの二重ページングネットワーク、ブルートゥース（登録商標）無線、又はＩＥＥＥ８０２．１１に基づく無線周波数ネットワークなどの、様々な無線ネットワークの任意のものに対するリンクも含むであろう。データネットワークは更に、推奨規格２３２（ＲＳ−２３２）シリアル接続、ＩＥＥＥ−１３９４（ファイヤーワイヤー（ＦｉｒｅＷｉｒｅ））接続、ファイバーチャンネル接続、ＩｒＤＡ（赤外線）ポート、スモールコンピュータシステムインターフェース接続、ユニバーサルシリアルバス接続、又はその他の有線又は無線のデジタル又はアナログ式インターフェース又は接続、メッシュ或いはＤｉｇｉ（登録商標）ネットワーキングの内の任意の１以上のものを更に含むか又はこれらにインターフェース接続できる。
【００３５】
種々の実施形態では、サーバー１３０は、遠隔地で利用可能でデータネットワーク１５０を通してアクセスできる計算リソース（ハードウエア及びソフトウェア）を含むことができる。サーバー１３０は、データネットワーク１５０を介して１台又は複数台の電子そろばん１１０と通信可能に結合できる。或る実施形態では、各電子そろばん１１０に個別の識別子を割り当てることができる。サーバー１３０は、個別の識別子を受信すると共に、この個別の識別子に基づいて電子そろばん１１０を区別するように構成されるであろう。サーバー１３０は複数のユーザー１２０によって共有できる。或る実施形態では、サーバー１３０は、ネットワークスイッチ及び／又はルーターと同じ位置に配置できるコンピュータサーバー群を含む、１台以上のサーバーファーム／クラスタを含むであろう。
【００３６】
幾つかの実施形態では、サーバー１３０は、電子そろばん１１０を使ってユーザー１２０が解くための数学的問題を記憶するように少なくとも構成されるであろう。数学的問題は、一個以上の数学的演算を含むであろう。各数学的演算は、整数の足し算、引き算、掛け算又は割り算を含む。数学的問題は、テーマ及び複雑さのレベルによって分類できる。
【００３７】
幾つかの実施形態では、サーバー１３０は、数学的問題を電子そろばん１１０に送信するように更に構成できる。電子そろばんは、サーバー１３０から数学的問題を受信するように構成できる。幾つかの実施形態では、サーバー１３０は、計算装置１４０と通信可能に結合される。サーバー１３０は、データネットワーク１５０のパラメータに基づいて、電子そろばん１１０と計算装置１４０が同じ場所に位置していることを判定するように構成できる。例えば、サーバー１３０は、電子そろばん１１０と計算装置１４０が同じＷｉ−Ｆｉ（商標）ルーターを介してデータネットワーク１５０に接続されていることを判定するように構成できる。
【００３８】
幾つかの実施形態では、サーバー１３０は、数学的問題を１台以上の電子そろばん１１０と計算装置１４０に同時に送信するように更に構成できる。計算装置１４０は、電子そろばん１１０を使ってユーザー１２０が解くために現在提供されている数学的問題をグラフィック表示システム１６０で提示するように更に構成できる。或る実施形態では、数学的問題は、一回当たり単一の数学的演算で表示できる。各数学的演算は、所定の時間表示できる。
【００３９】
電子そろばん１１０は、数学的問題を解いた時間と数学的問題を解いたときの誤りを探知すると共に記憶するように更に構成できる。教示セッションの終了後（例えば、一組の数学的問題を解いたあと）、解いた時間と解いた際の誤りに関する情報をサーバー１３０に送信するように電子そろばん１１０を構成できる。
【００４０】
幾つかの実施形態では、サーバー１３０は、ユーザーの１２０のプロファイルを記憶するように更に構成されるであろう。プロファイルには、電子そろばん１１０を用いてユーザー１２０が解いた数学的問題、数学的問題を解くのにユーザー１２０が費やした時間、及び数学的問題を解く際にユーザー１２０が起こした誤りが含まれるであろう。サーバー１３０は、異なるユーザー１２０による数学的問題の解決に関しての統計を許可されたユーザーに提供するように更に構成されるであろう。例えば、ユーザー１２０は、サーバー上で動作しているアプリケーションを用いて、ユーザー１２０のスコア表における訓練の結果（訓練のスコア）及びユーザーをレビューするであろう。
【００４１】
図１Ｃは、更に別の例示的実施形態による、計算技術教示用システムを実施できる環境１００Ｃを示す。この環境１００Ｃは、図１Ｃに示すように、１台以上の電子そろばん１１０、１人以上のユーザー１２０、サーバー１３０、グラフィックシステムインターフェース１６０を備えた計算装置１４０、データネットワーク１５０を含むであろう。環境１００Ｃでは、１台以上の電子そろばん１１０、１人以上のユーザー１２０及び計算装置１４０がグループ１９０に分割されている。グループ１９０は地理的に異なる場所に位置することができる。一組の数学的問題を含む教示セッションを開始する前に、電子そろばん１１０と計算装置１４０を登録してサーバー１３０と同期されるように電子そろばん１１０と計算装置１４０を構成できる。数学的問題を解いている間、全てのグループ１９０に対して世界時間と数学的問題を表示するように計算装置１４０を更に構成できる。幾つかの実施形態では、グループ１９０のユーザーが同じ期間内に数学的問題を解くことができる。他の実施形態では、異なるグループのユーザー１２０が数学的問題を異なる期間の間に互いに独立して解くことができる。
【００４２】
図２は、幾つかの例示的実施形態による例示的電子そろばん１１０の上面図である。電子そろばん１１０は、本体２０５、軸２１０及び玉２１５を含むであろう。本体２０５の形状は、軸２１０と玉２１５を配置するための細長凹部を含むであろう。玉２１５はコラム２２０に分割して配置できる。玉２１５は、セル２２５を占有するように軸２１０に沿って移動可能となっているであろう。
【００４３】
図２の例では、各コラム２２０は７個のセルを含み、更にこれらのセルは２セクションに分割されている。第１のセクションは、玉２１５の内の１個によって占有され得る２個のセルを含む。第２のセクションは、玉２１５の内の４個によって占有され得る５個のセルを含む。本明細書で説明する計算技術の教示技術は、コラム、セル及び玉の構成が異なる他のそろばんにも使用できることに注意されたい。
【００４４】
各セル２２５は、玉２１５がセル２２５を占有しているか否かを検知するセンサを含んでいるであろう。幾つかの実施形態では、センサは赤外線（ＩＲ）検出器２３５を含んでおり、セル２２５は（ＩＲ）発光ダイオード（ＬＥＤ）２３０も含んでいるであろう。図３に示すように、ＩＲ検出器２３５は玉２１５がセル２２５を占有しているか否かを検知するために使用できる。ＩＲ検出器が玉２１５から反射した赤外光を感知した場合、セルに値１を割り当てることができる。ＩＲ検出器２３５が玉から反射した赤外光を感知しない場合、セル２２５に値０を割り当てることができる。
【００４５】
図２に戻ると、幾つかの実施形態では、各セル２２５は光源ユニット２４０（例えば、ＬＥＤ）を更に含むであろう。光源ユニットは、光データに基づいて１色以上の色を発光するように構成されるであろう。色には少なくとも緑色と赤色が含まれるであろう。
【００４６】
幾つかの実施形態では、電子そろばん１１０は、ＬＥＤインジケータ２４５、電源ボタン２５０、電源コネクタ２５５及びＵＳＢポート２６０を更に含むであろう。電子そろばん１１０は、スピーカー、音声出力ポート及び振動デバイスなどの追加又は他の部品を含むであろう。
【００４７】
図４は、例示的実施形態による電子そろばん１１０の電子基板４００の単純化した構成である。電子基板４００はデマルチプレクサ４１０、コントローラ４２０、再充電可能電池４３０、無線通信ユニット４４０及びＵＳＢポート２６０を含むであろう。
【００４８】
或る実施形態では、オペレーションシステムと電子そろばん１１０の種々のアプリケーションを実行するように構成されたコントローラ４２０は、マイクロプロセッサ、特別に設計された特定用途向け集積回路（ＡＳＩＣ）、プログラマブルロジックデバイスの組み合わせ或いはシステムオンチップ（ＳｏＣ）を用いたハードウエアとして実施されるであろう。幾つかの実施形態では、コントローラ４２０は、アプリケーションデータとマイクロプロセッサによって実行可能な命令を記憶する記憶媒体を含むであろう。
【００４９】
デマルチプレクサ４１０は、Ｎ個のコラム２２０の内の１つを選択するように構成でき、従って、コントローラ４２０は、選択されたコラムのセル内の光源ユニット２４０のための光データをセットし、ＩＲ検出器２３５からのデータを読み込むように構成されるであろう。
【００５０】
幾つかの実施形態では、コントローラ４２０をプログラムするためにＵＳＢポート２６０を使用できる。或る実施形態では、無線通信ユニット４２０を介してサーバー１３０からデータを受信するようにコントローラ４２０を構成できる。
【００５１】
幾つかの実施形態では、コントローラ４２０は、無線通信ユニット４４０を介して整数の配列Ｘ｛ｉ｝，ｉ＝１−Ｍを受信するように更に構成できる。コントローラ４２０は、配列Ｘ｛ｉ｝，ｉ＝１−Ｍから数Ｘを選択するように更に構成できる。数Ｘは、ユーザー１２０に現在提供されている数学的問題の現在の数学的演算を行った後の正しい中間結果を表しているであろう。コントローラ４２０は、ユーザー１２０が玉を移動した後で、現在の演算が正しく行われたか否かをチェックするために数Ｘを使用するように構成されるであろう。幾つかの実施形態では、コントローラ４２０は、数学的問題の現在の数学的演算を行うためにユーザー１２０が電子そろばんの玉を移動させることができる時間間隔だけ待つように構成されるであろう。或る実施形態では、時間間隔はサーバー１３０からコントローラ４２０によって受信することもできる。
【００５２】
コントローラ４２０は、センサ（例えば、第１コラムから始まり最終コラムＮで終わるコラム２２０のセル２２５のＩＲ検出器２３５）からのデータを読むように更に構成できる。コラム２２０のセル２２５のＩＲ検出器からのデータは二進数を表す。コントローラ４２０は、二進数を長さＮの整数Ｙに変換するように更に構成できる。整数Ｙは、数学的問題の現在の数学的演算に対する答えを表しているであろう。コントローラ４２０は、数Ｙを数Ｘと比較するように更に構成できる。数Ｙが数Ｘに等しい場合に、答えが正しいと判定するようにコントローラ４２０を構成できる。数Ｙが数Ｘに等しくない場合に、答えが間違っていると判定するようにコントローラ４２０を構成できる。
【００５３】
幾つかの実施形態では、答えが間違っている場合、答えが正しい場合に玉が位置すべき第１の組のセルを決定するようにコントローラ４２０を更に構成できる。更に、コントローラ４２０は、第１の組のセルの光源ユニット２４０を点灯するように構成されるであろう。例えば、第１の組のセルの光源ユニット２４０は、適切な光データを設定することで緑色で点灯するように構成できる。
【００５４】
幾つかの実施形態では、コントローラ４２０は、玉によって誤って占有されている第２の組のセル（従って、これらの玉は、正しい答えを得るために第２の組のセルから移動されなければならない）を決定するように更に構成できる。更に、コントローラ４２０は、第２の組のセルの光源ユニット２４０を点灯するように構成されるであろう。幾つかの実施形態では、これらの光源ユニットは、適切な光データを設定することで正しい色で点灯するように構成できる。更に、コントローラ４２０は、ユーザー１２０が玉を移動させるまで待つように構成できる。更に、コントローラ４２０は、答えをチェックすると共に、正しい答えを受け取るために占有されなければならないセルにユーザー１２０が玉を移動させるまで、セル内の適切な光源ユニットを点灯させるように構成できる。
【００５５】
図５は、本開示の或る例示的実施形態による、電子そろばんを使用した計算技術を教えるための方法５００を示すフローチャートである。方法５００は図１Ｂに示す環境１００Ｂで実施できる。
【００５６】
方法５００は、ブロック５０２で最初に、一組の数学的問題を記憶するように少なくとも構成されたサーバーを提供する。各数学的問題は、足し算、引き算、掛け算又は割り算という一連の数学的演算を含むであろう。数学的問題は、複雑さのレベルによってテーマ別に分類できる。
【００５７】
ブロック５０４では、方法５００は少なくとも１台の電子そろばん提供することを含むであろう。少なくとも１台の電子そろばんは複数の玉を含むであろう。電子そろばんは、一組のコラムを更に含み、各コラムは所定数のセルを含むであろう。各セルは、玉の内の１個によって占有されるように構成できる。電子そろばんは、データネットワークを介してサーバーと通信するための通信ユニットを更に含むであろう。電子そろばんは、玉によるセルの占有を判定するように構成された一組のセンサを更に含むであろう。電子そろばんは、一組の光源ユニットを更に含むであろう。各光源ユニットはセルの内の１個の中に位置している。電子そろばんは、一組のセンサ及び一組の光源ユニットに電子的に結合された処理ユニットを更に含むであろう。
【００５８】
ブロック５０６では、方法５００は、少なくとも一つの整数配列を通信ユニットを介して処理ユニットで受信することを含むであろう。各整数は、一連の数学的演算を解いた中間結果を表す。例えば、一連の数学的演算「４」、「＋５」、「＋１」及び「−３」は、配列｛４，９，１０，７｝によって表すことができる。一連の数学的演算は電子そろばんのユーザーに同時に表示できる。整数配列の内の現在数（最初のものから始まる）に対して、方法５００のブロック５０８〜５１４の動作を行うことができる。
【００５９】
ブロック５０８では、方法５００は、一連の数学的演算からの現在の演算を解くためにユーザーが玉を移動させることができる所定の時間間隔だけ処理ユニットで待つことを含むであろう。
【００６０】
ブロック５１０では、方法５００は、玉によるセルの占有を一組のセンサを介して処理ユニットで判定することを含むであろう。
【００６１】
ブロック５１２では、方法５００は、セルの占有を処理ユニットでチェック数に変換することを含むであろう。
【００６２】
ブロック５１４では、方法は、処理ユニットによってチェック数を配列中の現在数と比較し、現在の演算が正しく解かれたか否かを判定することを含むであろう。
【００６３】
図６は、或る実施形態による、電子そろばんを使用して計算技術を訓練するための方法６００を示すフローチャートである。方法６００は図５の方法５００の追加のステップを提供するであろう。
【００６４】
ブロック６０２では、方法６００は、電子そろばんの処理ユニットにより、チェック数と現在数とに基づき、玉によって誤って占有されているセルの第１のサブセットを決定することを含むであろう。
【００６５】
ブロック６０４では、方法６００は、電子そろばんの処理ユニットにより、セルの第１のサブセットに対応する光源ユニットを（例えば、赤色で）点灯させることを含むであろう。
【００６６】
ブロック６０６では、方法６００は、電子そろばんの処理ユニットにより、現在数に基づき、現在数を得るために玉によって占有されるべきセルの第２のサブセットを決定することを含むであろう。
【００６７】
ブロック６０８では、方法６００は、処理ユニットにより、セルの第２のサブセットに対応する光源ユニットを（例えば、緑色で）点灯させることを含むであろう。
【００６８】
図７は、コンピュータシステム７００の例示的電子形態での、マシンのための計算装置の図式的表示であり、コンピュータシステム７００内において、本明細書で議論する方法の内の任意の一以上の方法をマシンに行わせるための１組の命令を実行できる。種々の例示的実施形態において、マシンは独立型の装置として動作することもでき、他のマシンに接続（例えば、ネットワーク接続）することもできる。ネットワーク展開においては、サーバークライエントネットワーク環境におけるサーバー又はクライエントマシンの容量内でマシンが動作できる。或いは、ピアツーピア（即ち分散）ネットワーク環境におけるピアマシンとして動作できる。マシンは、ＰＣ、タブレットＰＣ、セットトップボックス、携帯電話、デジタルカメラ、ポータブル音楽プレーヤー（例えば、ＭＰ３（動画専門家集団のオーディオレイヤー３）プレーヤーなどのポータブルハードドライブ音声デバイス）、ウェブ電気製品、ネットワークルータ、スイッチ、ブリッジ、又はそのマシンが行うべき動作を特定するための一組の命令（シーケンシャル又はそれ以外）を実行できる任意のマシンであり得る。更に、単一のマシンだけが描かれているが、「マシン」という用語は、本明細書で議論している方法の任意の一つの以上を行うために一組（又は複数組）の命令を個々に又は協力して実行する任意のマシンの集合体も含むものと解釈しなければならない。
【００６９】
コンピュータシステム７００は、バス７１０を介して互いに通信する、単一又は複数のプロセッサ７０２、ハードディスクドライブ７０４、主メモリ７０６及びスタティックメモリ７０８を含むであろう。また、コンピュータシステム７００は、ネットワークインターフェースデバイス７１２を含むであろう。ハードディスクドライブ７０４は、本明細書で説明している方法又は機能の内の任意の一つの以上を具体化するか或いはそれらによって利用される１組以上の命令７２２を記憶するコンピュータ読込み可能媒体７２０を含むであろう。また、命令７２２は、それらがコンピュータシステム７００によって実行されている間、主メモリ７０６及び／又はプロセッサ７０２内に完全に又は少なくとも部分的に存在できる。また、主メモリ７０６及びプロセッサ７０２は、マシン読出し可能媒体を構成する。
【００７０】
コンピュータ読込み可能媒体７２０は、例示的実施形態では単一の媒体として示されているが、「コンピュータ読込み可能媒体」という用語は、一組以上の命令を記憶する単一の媒体又は複数の媒体（例えば、集中又は分散データベース及び／又は関連するキャッシュ及びサーバー）を含むように解釈しなければならない。また、「コンピュータ読込み可能媒体」という用語は、マシンによって実行される一組の命令を記憶するか、符号化するか又は保持できると共に本出願の方法の内の任意の１以上をマシンに行わせるか、或いはその様な一組の命令によって利用されるか又はそれらと関連付けられたデータ構造を記憶するか、符号化するか又は保持できる任意の媒体を含むように解釈しなければならない。従って、「コンピュータ読込み可能媒体」という用語は、 ソリッドステートメモリ、光学的及び磁気的媒体を含むものと解釈しなければならないが、これらに限定されない。その様な媒体の例としては、ハードディスク、フロッピーディスク、ＮＡＮＤ又はＮＯＲフラッシュメモリ、デジタルビデオディスク、ＲＡＭ、ＲＯＭなどが挙げられるが、これらに限定されない。
【００７１】
本明細書で説明する例示的実施形態は、コンピュータにインストールされたソフトウエアを含む動作環境、ハードウエア、又はソフトウエアとハードウエアの組み合わせで実施されるであろう。
【００７２】
幾つかの実施形態では、コンピュータシステム７００は、コンピューティングクラウド内で動作する仮想マシンなどのクラウドベースのコンピューティング環境として実施されるであろう。他の実施形態では、コンピュータシステム７００自体がクラウドベースのコンピューティング環境を含んでいるであろう。この場合、コンピュータシステム７００の機能は分散して実行される。従って、コンピュータシステム７００がコンピューティングクラウドとして構成されている場合、コンピュータシステム７００は、以下により詳しく述べるように、種々の形式の複数のコンピューティングデバイスを含むであろう。
【００７３】
一般に、クラウドベースのコンピューティング環境は、典型的にはプロセッサの大きなグループ（例えば、ウェブサーバー内のプロセッサの大きなグループ）の計算能力を組み合わせ、及び／又はコンピュータメモリ又は記憶装置の大きなグループの記憶能力を組み合わせたリソースである。クラウドベースのリソースを提供するシステムはそれらの所有者によって独占的に利用されるであろう。或いは、その様なシステムは、大きな計算又は記憶リソースの恩恵を得るためにコンピューティングインフラストラクチャーにアプリケーションを展開している外部のユーザーからアクセス可能であろう。
【００７４】
クラウドは、例えば、コンピュータシステム７００などの複数のコンピューティングデバイスを含むウェブサーバーのネットワークによって作られるであろう。各サーバー（又は、それらの内の少なくとも複数）は、プロセッサ及び／又は記憶リソースを提供する。これらのサーバーは、複数のユーザー（例えば、クラウドリソースの顧客又はその他のユーザー）によって提供されたワークロードを管理するであろう。典型的には、各ユーザーは、リアルタイムで、時々劇的に変動するワークロード要求をクラウド上に置く。これらの変動の性質と程度は、典型的には、ユーザーに関連するビジネスの種類に依存する。
【００７５】
この様に、計算技術を教える装置及びシステムについて説明した。特定の例示的実施形態を参照して実施形態を説明したが、本出願のより広い精神と範囲から逸脱することなく、これらの例示的実施形態に対して種々の変形及び変更を行えることは明らかである。従って、明細書と図面は、限定的ではなく例示的であると考えなければならない。
【図１Ａ】
2021501348.tif 000003
【図１Ｂ】
2021501348.tif 000004
【図１Ｃ】
2021501348.tif 000005
【図２】
2021501348.tif 000006
【図３】
2021501348.tif 000007
【図４】
2021501348.tif 000008
【図５】
2021501348.tif 000009
【図６】
2021501348.tif 000010
【図７】
2021501348.tif 000011
【手続補正書】
【提出日】令和2年4月17日(2020.4.17)
【手続補正１】
【補正対象書類名】明細書
【補正対象項目名】００１１
【補正方法】変更
【補正の内容】
【００１１】
幾つかの実施形態では、前記処理ユニットは、前記現在数に基づき、前記セルの第２のサブセットが前記現在数を得るために前記玉によって占有されるべきことを判定するように更に構成できる。前記処理ユニットは、前記セルの第２のサブセットに対応する前記光源ユニットをある色で（例えば、緑色で）点灯させるように更に構成できる。
【手続補正２】
【補正対象書類名】明細書
【補正対象項目名】００１８
【補正方法】変更
【補正の内容】
【００１８】
幾つかの実施形態では、前記処理ユニットは、前記チェック数と前記現在数に基づき、前記セルの第２のサブセットが前記現在数を得るために前記玉によって占有されるべきことを判定するように更に構成できる。前記処理ユニットは、前記セルの第２のサブセットに対応する前記光源ユニットをある色で点灯させるように更に構成できる。
【手続補正３】
【補正対象書類名】特許請求の範囲
【補正対象項目名】請求項９
【補正方法】変更
【補正の内容】
【請求項９】
請求項５に記載の装置であって、前記処理ユニットは、
前記現在数に基づき、前記現在数を得るために前記玉によって占有されるべき前記セルの第２のサブセットを決定し、
前記セルの第２のサブセットに対応する前記光源ユニットを点灯させるように更に構成される装置。
【手続補正４】
【補正対象書類名】特許請求の範囲
【補正対象項目名】請求項１８
【補正方法】変更
【補正の内容】
【請求項１８】
請求項１６に記載のシステムであって、前記処理ユニットは、
前記現在数に基づき、前記現在数を得るために前記玉によって占有されるべき前記セルの第２のサブセットを決定し、
前記セルの第２のサブセットに対応する前記光源ユニットを点灯させるように更に構成される装置。
【手続補正５】
【補正対象書類名】特許請求の範囲
【補正対象項目名】請求項１９
【補正方法】変更
【補正の内容】
【請求項１９】
請求項１５に記載のシステムであって、
少なくとも１個の整数配列を受信する前に、
前記少なくとも１台の電子そろばんの識別子を少なくとも含む登録メッセージを前記通信ユニットを介して前記サーバーに送信し、
前記少なくとも１台の電子そろばんに関連する時間とサーバーの時間とを前記通信ユニットを介して同期させるように前記処理ユニットが更に構成され、
更なる登録メッセージを前記デバイス通信ユニットを介して前記サーバーに送信し、
前記計算装置に関連する時間とサーバーの時間とを前記デバイス通信ユニットを介して同期させるように前記計算装置が更に構成されるシステム。
【国際調査報告】
2021501348.tif 000012
2021501348.tif 000013